(57)【要約】【課題】アプリケーションをユーザ選択可能にするための情報処理媒体を提供すること。【解決手段】情報処理媒体は、信号を送受信するための複数のアンテナと、複数のアプリケーションを記憶する記憶手段と、各アンテナの信号受信状況に応じて前記複数のアプリケーションの中から一つのアプリケーションを選択し、所定のアンテナで受信された受信信号に基づき、前記選択アプリケーションを実行するアプリケーション実行手段と、を備えている。【選択図】  図３
2010218421.tif 000002
【特許請求の範囲】
【請求項１】
信号を送受信するための複数のアンテナと、
複数の通信方式に対応するための情報を記憶する記憶手段と、
各アンテナの信号受信状況に応じて前記複数の通信方式の中から一つの通信方式を選択し、所定のアンテナで受信された受信信号に基づき、前記選択通信方式に従い相手機器と通信する通信制御手段と、
を備えたことを特徴とする情報記憶媒体。
【請求項２】
信号を送受信するための複数のアンテナと、
複数のアプリケーションに対応するための情報を記憶する記憶手段と、
各アンテナの信号受信状況に応じて前記複数のアプリケーションの中から一つのアプリケーションを選択し、所定のアンテナで受信された受信信号に基づき、前記選択アプリケーションを実行するアプリケーション実行手段と、
を備えたことを特徴とする情報処理媒体。
【請求項３】
前記複数のアンテナは、第１及び第２のアンテナを含み、
前記複数のアプリケーションは、第１及び第２のアプリケーションを含み、
前記アプリケーション実行手段は、前記第１のアンテナにより受信された第１の受信信号に基づき前記第１のアプリケーションを選択し、前記第１の受信信号及び前記第１のアプリケーションに基づく処理を実行し、又は前記第２のアンテナにより受信された第２の受信信号に基づき前記第２のアプリケーションを選択し、前記第２の受信信号及び前記第２のアプリケーションに基づく処理を実行する、
ことを特徴とする請求項２に記載の情報処理媒体。
【請求項４】
前記アプリケーション実行手段は、前記第１のアンテナと接続された第１の端子からの前記第１の受信信号に基づき前記第１のアプリケーションを選択し、前記第１の受信信号及び前記第１のアプリケーションに基づく処理を実行し、又は前記第２のアンテナと接続された第２の端子からの前記第２の受信信号に基づき前記第２のアプリケーションを選択し、前記第２の受信信号及び前記第２のアプリケーションに基づく処理を実行する、
ことを特徴とする請求項３に記載の情報処理媒体。
【請求項５】
電波の送受信を遮蔽するための遮蔽材により構成された遮蔽領域と電波の送受信を遮蔽しない非遮蔽領域とを備えた媒体ホルダへ前記情報処理媒体を収容した場合に、前記遮蔽領域により前記複数のアンテナのうちの何れか一つのアンテナ以外の他のアンテナによる電波の送受信が遮蔽されるように配置された前記複数のアンテナを備えたことを特徴とする請求項３に記載の情報処理媒体。
【請求項６】
前記媒体ホルダと前記情報処理媒体とが第１の位置関係になるように前記媒体ホルダに対して前記情報処理媒体を収容した場合に、前記遮蔽領域により前記第１のアンテナ以外の他のアンテナによる電波の送受信が遮蔽され、また、前記媒体ホルダと前記情報処理媒体とが第２の位置関係になるように前記媒体ホルダに対して前記情報処理媒体を収容した場合に、前記遮蔽領域により前記第２のアンテナ以外の他のアンテナによる電波の送受信が遮蔽されるように配置された前記複数のアンテナを備えたことを特徴とする請求項３に記載の情報処理媒体。
【請求項７】
前記媒体ホルダに形成された非遮蔽領域のサイズ及び位置に基づき、サイズ及び位置が決定された前記複数のアンテナを備えたことを特徴とする請求項６に記載の情報処理媒体。
【請求項８】
複数のアンテナの信号受信状況に応じて、複数の通信方式の中から一つの通信方式を選択し、
所定のアンテナで受信された受信信号に基づき、前記選択通信方式に従い相手機器と通信する、
ことを特徴とする情報処理方法。
【請求項９】
複数のアンテナの信号受信状況に応じて、複数のアプリケーションの中から一つのアプリケーションを選択し、
所定のアンテナで受信された受信信号に基づき、前記選択アプリケーションを実行する、
ことを特徴とする情報処理方法。
【請求項１０】
情報記憶媒体の複数のアンテナのうちの何れか一つのアンテナによる電波の送受信を遮蔽しないための非遮蔽領域と、
前記一つのアンテナ以外の他のアンテナによる電波の送受信を遮蔽するための遮蔽材により構成された遮蔽領域と、
を備えたことを特徴とする媒体ホルダ。
【請求項１１】
前記媒体ホルダと前記情報処理媒体とが第１の位置関係になるように前記媒体ホルダに対して前記情報処理媒体を収容した場合に、前記遮蔽領域により前記複数のアンテナのうちの第１のアンテナ以外の他のアンテナによる電波の送受信を遮蔽し、前記媒体ホルダと前記情報処理媒体とが第２の位置関係になるように前記媒体ホルダに対して前記情報処理媒体を収容した場合に、前記遮蔽領域により前記複数のアンテナのうちの第２のアンテナ以外の他のアンテナによる電波の送受信を遮蔽することを特徴とする請求項１０に記載の媒体ホルダ。
【発明の詳細な説明】
【技術分野】
【０００１】
本発明は、例えば、ＣＰＵ、ＲＯＭ、ＲＡＭ、ＥＥＰＲＯＭなどの制御素子を有するＩＣ（Integrated Circuit）チップを内蔵するＩＣカードと称される情報処理媒体に関する。
【背景技術】
【０００２】
近年、様々な機能を備えたＩＣカードが登場している。例えば、金属端子等により構成される接触インターフェースと電波を送受信するためのアンテナ等により構成される非接触インターフェースを備えたＩＣカードが登場している（特許文献１参照）。
【０００３】
また、複数の通信プロトコルに対応可能なＩＣカードも登場している。例えばＴＣＰ／ＩＰとＩＳＯ７８１６のどちらの通信プロトコルにも対応可能なＩＣカードが提案されている（特許文献２参照）。
【０００４】
これらＩＣカードの登場によりＩＣカードの用途は広がり、例えば、ＩＣカードは、クレジットカード、定期券、旅券、免許証、その他の商取引の決済に使われるだけでなく、社員証、会員証、保険証などのＩＤカードとしても様々な分野で使われるようになっている。
【先行技術文献】
【特許文献】
【０００５】
【特許文献１】特開２００５−２１６２３４号公報
【特許文献２】特開２００４−１５１８６４号公報
【発明の概要】
【発明が解決しようとする課題】
【０００６】
非接触ＩＣカードは一つのアンテナを備えており、非接触ＩＣカードが複数の通信方式に対応しているＩＣカードリーダ／ライタと通信する場合、非接触ＩＣカードはＩＣカードリーダ／ライタからの所定の通信方式に従った要求に応答することで、所定の通信方式に従った通信を確立している。つまり、非接触ＩＣカードのユーザは、通信方式を選択することはできない。
【０００７】
また、複数のアプリケーションに対応した非接触ＩＣカードも提案されているが、ＩＣカードリーダ／ライタがどのアプリケーションを選択するかの主導権を持つことが多い。つまり、非接触ＩＣカードのユーザは、アプリケーションを選択することはできない。
【０００８】
本発明の目的は、通信方式又はアプリケーションをユーザ選択可能にするための情報処理媒体、情報処理方法、及び媒体ホルダを提供することにある。
【課題を解決するための手段】
【０００９】
本発明の一実施形態に係る情報処理媒体は、信号を送受信するための複数のアンテナと、複数の通信方式に対応した動作プログラムを記憶する記憶手段と、各アンテナの信号受信状況に応じて前記複数の通信方式の中から一つの通信方式を選択し、所定のアンテナで受信された受信信号に基づき、前記選択通信方式に従い相手機器と通信する通信制御手段と、を備えている。
【００１０】
本発明の一実施形態に係る情報処理媒体は、信号を送受信するための複数のアンテナと、複数のアプリケーションを記憶する記憶手段と、各アンテナの信号受信状況に応じて前記複数のアプリケーションの中から一つのアプリケーションを選択し、所定のアンテナで受信された受信信号に基づき、前記選択アプリケーションを実行するアプリケーション実行手段と、を備えている。
【００１１】
本発明の一実施形態に係る情報処理方法は、複数のアンテナの信号受信状況に応じて、複数の通信方式の中から一つの通信方式を選択し、所定のアンテナで受信された受信信号に基づき、前記選択通信方式に従い相手機器と通信する。
【００１２】
本発明の一実施形態に係る情報処理方法は、複数のアンテナの信号受信状況に応じて、複数のアプリケーションの中から一つのアプリケーションを選択し、所定のアンテナで受信された受信信号に基づき、前記選択アプリケーションを実行する。
【００１３】
本発明の一実施形態に係る媒体ホルダは、情報記憶媒体の複数のアンテナのうちの何れか一つのアンテナによる電波の送受信を遮蔽しない非遮蔽領域と、前記一つのアンテナ以外の他のアンテナによる電波の送受信を遮蔽するための遮蔽材により構成された遮蔽領域と、を備えている。
【発明の効果】
【００１４】
本発明によれば、通信方式又はアプリケーションをユーザ選択可能にするための情報処理媒体、情報処理方法、及び媒体ホルダを提供することにある。
【図面の簡単な説明】
【００１５】
【図１】本発明の一実施形態に係るＩＣカードシステムの概略構成を示すブロック図である。
【図２】図１に示すＩＣカードシステムのカードリーダ／ライタの概略構成を示すブロック図である。
【図３】図１に示すＩＣカードシステムのＩＣカードの概略構成を示すブロック図である。
【図４】図１に示すＩＣカードシステムのＩＣカードの複数のアンテナの配置の一例を示す図である。
【図５】ＩＣカードホルダの一例を示すとともに、ＩＣカードホルダに対するＩＣカードの挿入方法を示す図である。
【図６】ＩＣカードホルダに挿入されたＩＣカードとカードリーダ／ライタとの通信の一例を示す図である。
【発明を実施するための形態】
【００１６】
以下、図面を参照し、本発明の実施形態について説明する。
【００１７】
図１は、本発明の一実施形態に係るＩＣカードシステム（別称、スマートカードシステム）の概略構成を示すブロック図である。図１に示すように、ＩＣカードシステムは、端末１及びＩＣカード２（情報処理媒体）により構成される。端末１は、本体（上位装置）１１、ディスプレイ１２、キーボード１３、カードリーダ／ライタ１４を備えている。端末１はＩＣカード２と通信可能に構成されており、端末１はＩＣカード２に対してデータを送信したり、ＩＣカード２からのデータを受信したりする。
【００１８】
本体１１は、複数の通信方式（ISO/IEC 14443 Type-A/B、FeliCaなど）及び複数のアプリケーションを選択的に実行することができる。ディスプレイ１２は、ＩＣカード２との通信結果及び認証結果等を表示する。キーボード１３は、本体１１に対して文字や数字等を入力する。カードリーダ／ライタ１４は、ＩＣカード２と通信する。
【００１９】
なお、本実施形態では、ＩＣカード２が、非接触式のカードであるケースについて説明するが、ＩＣカード２は、非接触式及び接触式の両者をサポートするコンビ型のカードであってもよい。
【００２０】
図２は、本発明の一実施形態に係るカードリーダ／ライタ１４の概略構成を示すブロック図である。図２に示すように、カードリーダ／ライタ１４は、アンテナ１４１、通信Ｉ／Ｆ１４２、ＣＰＵ１４３、データメモリ１４４、ＲＡＭ１４５、ＲＯＭ１４６を備えている。
【００２１】
図３は、本発明の一実施形態に係るＩＣカードの概略構成を示すブロック図であり、図４は、本発明の一実施形態に係るＩＣカードのアンテナ配置の一例を示す図である。図３に示すように、ＩＣカード２は、例えばプラスチックカードであり、ＩＣチップ２０（ＩＣモジュール）を備え、ＩＣチップ２０は、通信Ｉ／Ｆ２０１、２０２、２０３、ＣＰＵ２０４、データメモリ２０５、ＲＡＭ２０６、ＲＯＭ２０７を備えている。さらに、図３及び図４に示すように、ＩＣカード２は、アンテナ２１、２２、２３を備えている。
【００２２】
例えば、アンテナ２１、２２、２３のアンテナコイルにより形成されるアンテナ送受信エリアの形状とサイズは、全て同じである。但し、図４に示すように、アンテナ２１、２２、２３は、重なり合うことなく、配置されている。なお、本実施形態では、３つのアンテナを備えたＩＣカード２について説明するが本発明はこれに限定されるものではない。本発明は、２つのアンテナを備えたＩＣカード、或いは４つ以上のアンテナを備えたＩＣカードにも適用可能である。
【００２３】
カードリーダ／ライタ１４のアンテナ１４１は、ＩＣカード２のアンテナ２１、２２、２３の何れかと非接触で通信し、カードリーダ／ライタ１４とＩＣカード２との間でデータを送受信する。通信Ｉ／Ｆ１４２は、ＩＣカード２へ送信するデータ、ＩＣカード２から受信したデータの入出力を制御する。
【００２４】
ＣＰＵ１４３は、本体（上位装置）１１からの指示或いはＩＣカード２からの応答に基づき複数の通信方式の中から所定の通信方式を選択する。例えば、本体１１からの指示に基づきＣＰＵ１４３は、最初に第１の通信方式によりＩＣカード２との通信を試行する。第１の通信方式に従った通信によりＩＣカード２からの応答を受信することができれば、ＣＰＵ１４３は第１の通信方式によりＩＣカード２と通信し必要な処理を実行する。第１の通信方式に従った通信によりＩＣカード２からの応答を受信することができなければ、次に、本体１１からの指示に基づきＣＰＵ１４３は、第２の通信方式によりＩＣカード２との通信を試行する。第２の通信方式に従った通信によりＩＣカード２からの応答を受信することができれば、ＣＰＵ１４３は第２の通信方式によりＩＣカード２と通信し必要な処理を実行する。第２の通信方式に従った通信によりＩＣカード２からの応答を受信することができなければ、次に、本体１１からの指示に基づきＣＰＵ１４３は、第３の通信方式によりＩＣカード２との通信を試行する。ＩＣカード２からの応答を受信することができれば、本体１１は第３の通信方式によりＩＣカード２と通信し必要な処理を実行する。このようにして、本体１１は、ＩＣカード２との通信方式を決定する。
【００２５】
なお、本実施形態では、３つの通信方式の中から１つの通信方式を選択するケースについて説明するが、本発明はこれに限定されるものではない。本発明は、２つの通信方式又は４つ以上の通信方式の中から１つの通信方式を選択するケースに適用することができる。
【００２６】
また、ＣＰＵ１４３は、ＩＣカード２からの応答に基づき複数のアプリケーションの中から所定のアプリケーションを選択する。例えば、ＩＣカード２が第１のアプリケーションによる処理を要求すれば、ＣＰＵ１４３は、第１のアプリケーションにより必要な処理を実行する。ＩＣカード２が第２のアプリケーションによる処理を要求すれば、ＣＰＵ１４３は、第２のアプリケーションにより必要な処理を実行する。ＩＣカード２が第３のアプリケーションによる処理を要求すれば、ＣＰＵ１４３は、第３のアプリケーションにより必要な処理を実行する。
【００２７】
なお、本実施形態では、３つのアプリケーションの中から１つのアプリケーションを選択するケースについて説明するが、本発明はこれに限定されるものではない。本発明は、２つのアプリケーション又は４つ以上のアプリケーションの中から１つのアプリケーションを選択するケースに適用することができる。
【００２８】
データメモリ１４４は、ＥＥＰＲＯＭ、ＦＲＡＭなどの不揮発性メモリである。ＲＡＭ１４５は、例えばＩＣカード２から送信されるデータを一時的に記憶するワークメモリである。ＲＯＭ１４６は、制御プログラム等を記憶するメモリである。
【００２９】
一方、ＩＣカード２のアンテナ２１、２２、２３は、カードリーダ／ライタ１４のアンテナ１４１と非接触で通信し、ＩＣカード２とカードリーダ／ライタ１４との間でデータを送受信する。通信Ｉ／Ｆ２０１は、アンテナ２１と接続され、カードリーダ／ライタ１４へ送信するデータ、カードリーダ／ライタ１４から受信したデータの入出力を制御する。通信Ｉ／Ｆ２０２は、アンテナ２２と接続され、カードリーダ／ライタ１４へ送信するデータ、カードリーダ／ライタ１４から受信したデータの入出力を制御する。通信Ｉ／Ｆ２０３は、アンテナ２３と接続され、カードリーダ／ライタ１４へ送信するデータ、カードリーダ／ライタ１４から受信したデータの入出力を制御する。
【００３０】
ＣＰＵ２０４は、カードリーダ／ライタ１４からの各種コマンドに基づき、各種処理を実行する。例えば、ＣＰＵ２０４は、通信Ｉ／Ｆ２０１を介して信号を受信すると、アンテナ２１とカードリーダ／ライタ１４とが通信していることを検出することができる。また、ＣＰＵ２０４は、通信Ｉ／Ｆ２０２を介して信号を受信すると、アンテナ２２とカードリーダ／ライタ１４とが通信していることを検出することができる。さらに、ＣＰＵ２０４は、通信Ｉ／Ｆ２０３を介して信号を受信すると、アンテナ２３とカードリーダ／ライタ１４とが通信していることを検出することができる。
【００３１】
なお、ＣＰＵ２０４は、通信Ｉ／Ｆ２０１を介して、予め設定された信号レベルより高い信号レベルの信号を受信した場合に、アンテナ２１とカードリーダ／ライタ１４とが通信していることを検出するようにしてもよい。同様に、ＣＰＵ２０４は、通信Ｉ／Ｆ２０２を介して、予め設定された信号レベルより高い信号レベルの信号を受信した場合に、アンテナ２２とカードリーダ／ライタ１４とが通信していることを検出するようにしてもよい。同様に、ＣＰＵ２０４は、通信Ｉ／Ｆ２０３を介して、予め設定された信号レベルより高い信号レベルの信号を受信した場合に、アンテナ２３とカードリーダ／ライタ１４とが通信していることを検出するようにしてもよい。これにより、例えば、アンテナ２１、２２、２３のうちの２以上のアンテナが電波を受信してしまっているような場合であっても、どのアンテナとカードリーダ／ライタ１４とが通信しているかを特定することができる。例えば、アンテナ２１がある程度の強度の電波を受信し、アンテナ２２が微弱な電波を受信してしまっているような場合に、アンテナ２１とカードリーダ／ライタ１４とが通信していることを特定することができる。
【００３２】
ＣＰＵ２０４は、各アンテナの通信状況（信号受信状況）に応じて、通信方式を切り換えることができる。例えば、ＣＰＵ２０４は、アンテナ２１が第１の通信方式に従った信号の受信を検出した場合に、複数の通信方式の中から第１の通信方式を選択し、カードリーダ／ライタ１４に対する応答の返信を指示する。つまり、アンテナ２１を介して、受信信号に基づきカードリーダ／ライタ１４に対して応答を返信し、この後、カードリーダ／ライタ１４は、第１の通信方式によるＩＣカード２との通信を継続し、必要な処理を実行する。また、ＣＰＵ２０４は、アンテナ２１が第２又は第３の通信方式に従った信号の受信を検出した場合に、カードリーダ／ライタ１４に対する応答の返信を指示しない。これにより、カードリーダ／ライタ１４は第２又は第３の通信方式によるＩＣカード２との通信を諦め、カードリーダ／ライタ１４が第１の通信方式による通信を試行すると、カードリーダ／ライタ１４とＩＣカード２との通信が成立することになる。
【００３３】
例えば、ＣＰＵ２０４は、アンテナ２２が第２の通信方式に従った信号の受信を検出した場合に、複数の通信方式の中から第２の通信方式を選択し、カードリーダ／ライタ１４に対する応答の返信を指示する。つまり、アンテナ２２を介して、受信信号に基づきカードリーダ／ライタ１４に対して応答を返信し、この後、カードリーダ／ライタ１４は、第２の通信方式によるＩＣカード２との通信を継続し、必要な処理を実行する。また、ＣＰＵ２０４は、アンテナ２２が第１又は第３の通信方式に従った信号の受信を検出した場合に、カードリーダ／ライタ１４に対する応答の返信を指示しない。これにより、カードリーダ／ライタ１４は第１又は第３の通信方式によるＩＣカード２との通信を諦め、カードリーダ／ライタ１４が第２の通信方式による通信を試行すると、カードリーダ／ライタ１４とＩＣカード２との通信が成立することになる。
【００３４】
例えば、ＣＰＵ２０４は、アンテナ２３が第３の通信方式に従った信号の受信を検出した場合に、複数の通信方式の中から第３の通信方式を選択し、カードリーダ／ライタ１４に対する応答の返信を指示する。つまり、アンテナ２３を介して、受信信号に基づきカードリーダ／ライタ１４に対して応答を返信し、この後、カードリーダ／ライタ１４は、第３の通信方式によるＩＣカード２との通信を継続し、必要な処理を実行する。また、ＣＰＵ２０４は、アンテナ２３が第１又は第２の通信方式に従った信号の受信を検出した場合に、カードリーダ／ライタ１４に対する応答の返信を指示しない。これにより、カードリーダ／ライタ１４は第１又は第２の通信方式によるＩＣカード２との通信を諦め、カードリーダ／ライタ１４が第３の通信方式による通信を試行すると、カードリーダ／ライタ１４とＩＣカード２との通信が成立することになる。
【００３５】
また、ＣＰＵ２０４は、各アンテナの通信状況（信号受信状況）に応じて、アプリケーションを切り換えることができる。例えば、ＣＰＵ２０４は、アンテナ２１が信号の受信を検出した場合に、複数のアプリケーションの中から第１のアプリケーションを選択し、カードリーダ／ライタ１４に対して第１のアプリケーションによる処理を待機する。つまり、アンテナ２１を介して、カードリーダ／ライタ１４からの要求に対して第１のアプリケーションによる応答を返信し、この後、カードリーダ／ライタ１４は、第１のアプリケーションにより必要な処理を実行する。
【００３６】
例えば、ＣＰＵ２０４は、アンテナ２２が信号の受信を検出した場合に、複数のアプリケーションの中から第２のアプリケーションを選択し、カードリーダ／ライタ１４からの要求に対して第２のアプリケーションによる処理を待機する。つまり、アンテナ２２を介して、カードリーダ／ライタ１４に対して第２のアプリケーションによる応答を返信し、この後、カードリーダ／ライタ１４は、第２のアプリケーションにより必要な処理を実行する。
【００３７】
例えば、ＣＰＵ２０４は、アンテナ２３が信号の受信を検出した場合に、複数のアプリケーションの中から第３のアプリケーションを選択し、カードリーダ／ライタ１４に対して第３のアプリケーションによる処理を待機する。つまり、アンテナ２３を介して、カードリーダ／ライタ１４からの要求に対して第３のアプリケーションによる応答を返信し、この後、カードリーダ／ライタ１４は、第３のアプリケーションにより必要な処理を実行する。
【００３８】
データメモリ２０５は、ＥＥＰＲＯＭ、ＦＲＡＭなどの不揮発性メモリである。ＲＡＭ２０６は、例えばカードリーダ／ライタ１４から送信されるデータを一時的に記憶するワークメモリである。ＲＯＭ２０７は、制御プログラム等を記憶するメモリである。データメモリ２０５或いはＲＯＭ２０７は、複数の通信方式に対応するための必要情報（各通信方式に対応した動作プログラム）を記憶する。また、データメモリ２０５或いはＲＯＭ２０７は、複数のアプリケーションを実行するための必要情報（複数のアプリケーションプログラム）を記憶する。
【００３９】
次に、ＩＣカードホルダによるアンテナの選択について説明する。図５は、ＩＣカードホルダの一例を示すとともに、ＩＣカードホルダに対するＩＣカードの挿入方法を示す図である。
【００４０】
図５に示すように、ＩＣカードホルダ３は、電波の送受信を遮蔽するための遮蔽材により構成された遮蔽領域３１及び電波の送受信を遮蔽しない非遮蔽領域３２を備えている。例えば、非遮蔽領域３２の形状及びサイズは、アンテナ２１、２２、２３のアンテナコイルにより形成されるアンテナ送受信エリアの形状とサイズとほぼ同じである。なお、非遮蔽領域３２のサイズが、アンテナ送受信エリアのサイズより小さくてもよい。
【００４１】
例えば、図５の挿入Ａに示すようなＩＣカード２とＩＣカードホルダ３との位置関係で、ＩＣカード２をＩＣカードホルダ３へ挿入すると、非遮蔽領域３２とアンテナ２２とが対向する。つまり、遮蔽領域３１によりアンテナ２１、２３が遮蔽されるが、アンテナ２２だけは遮蔽されない。これにより、アンテナ２２だけが通信可能な状態となる。
【００４２】
また、図５の挿入Ａに示すＩＣカード２をＸ軸に対して１８０度回転（第１面と第２面を反転）させると、図５の挿入Ｂに示すようなＩＣカード２とＩＣカードホルダ３との位置関係になる。この位置関係で、ＩＣカード２をＩＣカードホルダ３へ挿入すると、非遮蔽領域３２とアンテナ２１とが対向する。つまり、遮蔽領域３１によりアンテナ２２、２３が遮蔽されるが、アンテナ２１だけは遮蔽されない。これにより、アンテナ２１だけが通信可能な状態となる。
【００４３】
また、図５の挿入Ａに示すＩＣカード２をＹ軸に対して１８０度回転（第１面と第２面を反転）させると、図５の挿入Ｃに示すようなＩＣカード２とＩＣカードホルダ３との位置関係になる。この位置関係で、ＩＣカード２をＩＣカードホルダ３へ挿入すると、非遮蔽領域３２とアンテナ２３とが対向する。つまり、遮蔽領域３１によりアンテナ２１、２２が遮蔽されるが、アンテナ２３だけは遮蔽されない。これにより、アンテナ２３だけが通信可能な状態となる。
【００４４】
また、図５の挿入Ａに示すＩＣカード２をカード中心Ｃに対して１８０度回転させると、図５の挿入Ｄに示すようなＩＣカード２とＩＣカードホルダ３との位置関係になる。この位置関係で、ＩＣカード２をＩＣカードホルダ３へ挿入すると、非遮蔽領域３２に対向するアンテナは存在しない。つまり、遮蔽領域３１によりアンテナ２１、２２、２３が遮蔽される。この挿入により、スキミングを防止することができる。
【００４５】
上記をまとめると、ＩＣカード２をＩＣカードホルダ３へ挿入（収容）した場合に、遮蔽領域３１によりアンテナ２１、２２、２３のうちの何れか一つのアンテナ以外の他のアンテナによる電波の送受信が遮蔽されるように、又は全てのアンテナによる電波の送受信が遮蔽されるように、アンテナ２１、２２、２３はＩＣカード２内に配置されている。そのために、アンテナ２１、２２、２３のサイズ、位置、形状は、非遮蔽領域３２のサイズ、位置、形状に基づき決定されており、言い換えると、非遮蔽領域３２のサイズ、位置、形状は、アンテナ２１、２２、２３のサイズ、位置、形状に基づき決定されている。
【００４６】
ＩＣカード２のユーザが、図５の挿入Ａに示すようなＩＣカード２とＩＣカードホルダ３との位置関係で、ＩＣカード２をＩＣカードホルダ３へ挿入すると、アンテナ２２だけが通信可能な状態となる。このようにＩＣカード２がＩＣカードホルダ３に挿入された状態で、ＩＣカード２がカードリーダ／ライタ１４へかざされると（図６参照）、例えば、上記説明したようにＩＣカード２は、アンテナ２２により第２の通信方式に従った信号を受信した場合に、カードリーダ／ライタ１４に対して応答を返信する。これにより、カードリーダ／ライタ１４とＩＣカード２との間で、第２の通信方式に従った通信処理が実行されることになる。
【００４７】
また、ＩＣカード２のユーザが、図５の挿入Ｂに示すようなＩＣカード２とＩＣカードホルダ３との位置関係で、ＩＣカード２をＩＣカードホルダ３へ挿入すると、アンテナ２１だけが通信可能な状態となる。このようにＩＣカード２がＩＣカードホルダ３に挿入された状態で、ＩＣカード２がカードリーダ／ライタ１４へかざされると、例えば、上記説明したようにＩＣカード２は、アンテナ２１により第１の通信方式に従った信号を受信した場合に、カードリーダ／ライタ１４に対して応答を返信する。これにより、カードリーダ／ライタ１４とＩＣカード２との間で、第１の通信方式に従った通信処理が実行されることになる。
【００４８】
また、ＩＣカード２のユーザが、図５の挿入Ｃに示すようなＩＣカード２とＩＣカードホルダ３との位置関係で、ＩＣカード２をＩＣカードホルダ３へ挿入すると、アンテナ２３だけが通信可能な状態となる。このようにＩＣカード２がＩＣカードホルダ３に挿入された状態で、ＩＣカード２がカードリーダ／ライタ１４へかざされると、例えば、上記説明したようにＩＣカード２は、アンテナ２３により第３の通信方式に従った信号を受信した場合に、カードリーダ／ライタ１４に対して応答を返信する。これにより、カードリーダ／ライタ１４とＩＣカード２との間で、第３の通信方式に従った通信処理が実行されることになる。
【００４９】
なお、カードリーダ／ライタ１４は、第１、第２、第３の通信方式による通信を順に試行するため、ＩＣカードホルダ３に対するＩＣカード２の挿入の仕方に応じて、通信方式を選択することができる。
【００５０】
また、ＩＣカード２のユーザが、図５の挿入Ａに示すようなＩＣカード２とＩＣカードホルダ３との位置関係で、ＩＣカード２をＩＣカードホルダ３へ挿入し、ＩＣカード２がカードリーダ／ライタ１４へかざされると、例えば、上記説明したようにＩＣカード２は、アンテナ２２による信号の受信を検出し、カードリーダ／ライタ１４からの要求に対して第２のアプリケーションによる応答を返信する。これにより、カードリーダ／ライタ１４とＩＣカード２との間で、第２のアプリケーションに従った処理が実行されることになる。
【００５１】
また、ＩＣカード２のユーザが、図５の挿入Ｂに示すようなＩＣカード２とＩＣカードホルダ３との位置関係で、ＩＣカード２をＩＣカードホルダ３へ挿入し、ＩＣカード２がカードリーダ／ライタ１４へかざされると、例えば、上記説明したようにＩＣカード２は、アンテナ２１による信号の受信を検出し、カードリーダ／ライタ１４からの要求に対して第１のアプリケーションによる応答を返信する。これにより、カードリーダ／ライタ１４とＩＣカード２との間で、第１のアプリケーションに従った処理が実行されることになる。
【００５２】
また、ＩＣカード２のユーザが、図５の挿入Ｃに示すようなＩＣカード２とＩＣカードホルダ３との位置関係で、ＩＣカード２をＩＣカードホルダ３へ挿入し、ＩＣカード２がカードリーダ／ライタ１４へかざされると、例えば、上記説明したようにＩＣカード２は、アンテナ２３による信号の受信を検出し、カードリーダ／ライタ１４からの要求に対して第３のアプリケーションによる応答を返信する。これにより、カードリーダ／ライタ１４とＩＣカード２との間で、第３のアプリケーションに従った処理が実行されることになる。
【００５３】
つまり、ＩＣカードホルダ３に対するＩＣカード２の挿入の仕方に応じて、アプリケーションを選択することができる。
【００５４】
また、ＩＣカード２のユーザが、図５の挿入Ｄに示すようなＩＣカード２とＩＣカードホルダ３との位置関係で、ＩＣカード２をＩＣカードホルダ３へ挿入すると、アンテナ２１、２２、２３の何れも通信不能な状態となる。これにより、スキミングを防止することができる。
【００５５】
本実施形態によれば、カードリーダ／ライタ１４の構成を変えることなく、ＩＣカードホルダ３に対するＩＣカード２の挿入形態に応じて、通信方式を選択したり、アプリケーションを選択したりすることができる。
【００５６】
なお、本発明のＩＣカードホルダ３は、図５に示す構成に限定されるものではない。例えば、ＩＣカードの各アンテナに対応した複数の開閉式のシャッタを備えたＩＣカードホルダを適用することもできる。例えば、ＩＣカードホルダが、アンテナ２１、２２、２３に対応する第１、第２、第３のシャッタを備える。そして、ＩＣカードホルダに対してＩＣカードが挿入され、第１のシャッタを開けて、第２、第３のシャッタを閉じると、第１のシャッタの位置に対応したアンテナ２１は遮蔽されず通信可能な状態となり、第２、第３のシャッタの位置に対応したアンテナ２２、２３は遮蔽され通信不能な状態となる。つまり、上記したようなＩＣカードホルダを適用することにより、ＩＣカードホルダのシャッタの開閉操作によりどのアンテナで通信するかをユーザが選択できるようにしてもよい。
【００５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５８】
１…端末、２…ＩＣカード、３…ＩＣカードホルダ、１１…本体、１２…ディスプレイ、１３…キーボード、１４…カードリーダ／ライタ、２０…ＩＣチップ、２１、２２、２３…アンテナ、１４１…アンテナ、１４２…通信Ｉ／Ｆ、１４３…ＣＰＵ、１４４…データメモリ、１４５…ＲＡＭ、１４６…ＲＯＭ、２０１、２０２、２０３…通信Ｉ／Ｆ、２０４…ＣＰＵ、２０５…データメモリ、２０６…ＲＡＭ、２０７…ＲＯＭ
【図１】
2010218421.tif 000003
【図２】
2010218421.tif 000004
【図３】
2010218421.tif 000005
【図４】
2010218421.tif 000006
【図５】
2010218421.tif 000007
【図６】
2010218421.tif 000008